(57)【要約】【課題】所定の位置に固定されず移動可能なものであって、ペットに全身で体感させることができるペット用玩具を提供する。【解決手段】ペット用玩具１は、柔軟性を有するシート状素材３により、ペットが遊ぶことができる遊戯空間４を構成したものであり、そして、このシート状素材３は、外力を受けることにより音を発生する音発生部材３２が、全域又は部分的に設けられて形成されたものである。これにより、ペットは、ペット用玩具１の遊戯空間４に入って、シート状素材３から発生する音に興じて遊ぶことができる。【選択図】図１
2008142010.tif 000002
【特許請求の範囲】
【請求項１】
外力を受けることにより音を発生する音発生部材が全域又は部分的に設けられた柔軟性を有するシート状素材により、少なくとも一つのペット出入口を有するペット遊戯空間が構成されたことを特徴とするペット用玩具。
【請求項２】
前記ペット出入口のうちの少なくとも一つは、その周縁にワイヤが挿通されていることを特徴とする請求項１に記載のペット用玩具。
【請求項３】
前記シート状素材はその一部が透明部材により形成されていることを特徴とする請求項１又は２に記載のペット用玩具。
【請求項４】
前記シート状素材には、前記ペットの頭部又は足が挿通し得る１又は２以上の開口部が設けられていることを特徴とする請求項１乃至３のいずれか一つに記載のペット用玩具。
【請求項５】
前記ペット出入口のうちの少なくとも一つには、その周縁に口紐が設けられていることを特徴とする請求項１、３又は４のいずれか一つに記載のペット用玩具。
【請求項６】
前記口紐には、鈴が設けられていることを特徴とする請求項５に記載のペット用玩具。
【発明の詳細な説明】
【技術分野】
【０００１】
本発明は、ペットに興味を持たせ遊ばせるために用いるペット用玩具に関する。
【背景技術】
【０００２】
従来から、家庭内でペットとして飼っている猫や犬などに遊ばせるものとして、又、ペットの運動不足やストレスを解消させたりするものとして、様々なペット用玩具が使われてきた。
【０００３】
例えば、飼い主が猫と遊ぶ場合には、ねこじゃらしが使われる。この場合は、猫にねこじゃらしの紐の先端を見せつけて、棒を上下左右に振って紐の先端を小動物が動き回るごとくに揺動することにより、猫の狩猟本能を覚醒させ、その紐に跳び付かせて運動させている。また、猫の獲物である鼠を模した鼠玩具を使うときもある。この場合は、猫の鼠玩具を見せつけて鼠が存在するかのように揺動することにより、猫の狩猟本能を覚醒させ鼠玩具に跳び付かせて運動させている。
【０００４】
また、犬の場合には、犬が口にくわえることができる程度の大きさであって転がり易い球状のボールが使われている。この場合は、ボールを遠くに投げてこのボールを追わせて運動させている。
【０００５】
これらのペット用玩具は、飼い主がペット用玩具をあたかも獲物が存在するかのように操作することによりペットの狩猟本能や好奇心を起こさせて、ペットを運動させるものであり、ペットが好奇心を示しているかどうかを飼い主が観察してペット用玩具を操作するので、対面型のペット用玩具であるといえる。
【０００６】
また、最近では、ペットが自ら遊ぶことができるペット用玩具も提案されている。例えば、特許文献１には、家屋の柱などに紐で吊り下げることができ、紐の先端にはペットが興味を引く対象物が設けられているペット用玩具が示されている。このペット用玩具によれば、ペットの反応に応じて対象物が自在に移動してペットに興味を持たせるので、ペットに自ら遊ばせることができる。
【０００７】
このようなペット用玩具は、ペット自身が自ら遊ぶことができるものであるので、一人遊び型のペット用玩具といえる。
【特許文献１】登録実用新案第３０６４８６３号公報
【発明の開示】
【発明が解決しようとする課題】
【０００８】
しかしながら、対面型のペット用玩具にあっては、常に飼い主がペット用玩具を操作する必要があるため、飼い主にそのような時間がとれない場合には、ペットに運動させる機会が失われ、結果として、ペットを運動不足にさせていた。
【０００９】
また、特許文献１に示すような一人遊び型のペット用玩具にあっては、そのペット用玩具が家屋の柱に固定されるものであるため、ペットがその対象物に気づかない場合には、ペットは好奇心を起こすこともなかった。特に、屋外で放し飼いされているペットでは、固定されたペット用玩具に近づく可能性が低いため、その効果は十分に発揮されなかった。
【００１０】
また、いずれのペット用玩具であっても、ペットに噛み付かせたり、足で捕まえさせたりすることで運動させようとするものであり、ペットが口や足など体の一部でしか体感できないものであるため、ペットに好奇心を起こさせるには限界があった。
【００１１】
本発明はこのような状況に鑑みてなされたものであり、所定の位置に固定されず移動可能なものであって、ペットに全身で体感させることができるペット用玩具を提供することを目的とする。
【課題を解決するための手段】
【００１２】
本発明に係るペット用玩具は、外力を受けることにより音を発生する音発生部材が全域又は部分的に設けられた柔軟性を有するシート状素材により、少なくとも一つのペット出入口を有するペット遊戯空間が構成されたことを特徴とする。
【００１３】
本発明のペット用玩具は、ペットが入ることができるペット出入口を備え、柔軟なシート状素材により遊戯空間が構成されたものであるので、ペット出入口から内部に入ったペットは柔軟なシート状素材に囲われた遊戯空間内で行動範囲の制限を受けることとなる。そして、遊戯空間内でペットが動き回ると、ペット用玩具それ自体がシート状素材より構成されていることから、ペット自身の動きに伴ってそのシート状素材の形状が変形するため、ペットはその形状の変化に興味を示してさらなる変化を追い求めることとなり、その結果、ペットに運動させることができる。
【００１４】
また、ペット用玩具は、外力を受けることにより音を発生する音発生部材が設けられたシート状素材により形成されていることから、ペット自身の動きによりシート状素材が変形する度にこの変形が外力となって音発生部材に作用し、音発生部材が音を発生する。そしてこの音によりペットを興奮させることができるため、シート状素材の変形に加えて更にペットの好奇心を増大させることができる。また、シート状素材は、シートという形態上、その一箇所で発生した変形が全体に波及し他の箇所をも変形させることになるので、ペットがシート状素材の一箇所に外力を加えた場合にペットが予想し得ない他の箇所からも音が発生することからペットを驚かせることができ、更にペットの好奇心を増大させることができる。
【００１５】
また、本発明に係るペット用玩具では、前記ペット出入口のうちの少なくとも一つは、その周縁にワイヤが挿通されていることを特徴としてもよい。
【００１６】
この構成によれば、ペット出入口を常に開いた状態とすることができ、ペットがペット用玩具の内部に出入りし易いものとすることができる。
【００１７】
また、本発明に係るペット用玩具では、前記シート状素材はその一部が透明部材により形成されていることを特徴としてもよい。
【００１８】
この構成によれば、飼い主は透明部材の部分からペットを観察することができ、飼い主とペットのコミュニケーションがとり易いものとすることができる。
【００１９】
また、本発明に係るペット用玩具では、前記シート状素材には、前記ペットの頭部又は足が挿通し得る１又は２以上の開口部が設けられていることを特徴としてもよい。
【００２０】
この構成によれば、ペット用玩具の内部に入ったペットに、視野が狭められた状態で、開口部から僅かに見える外部の光景に興味を持たせることができる。また、この開口部は、頭部や足を出し入れできる寸法とされていることから、ペットは開口部から頭部や足を出したり引っ込めたりすることができるので、これによっても、ペットを楽しませることができる。つまり、この構成により、ペットの好奇心を持続させることができる。
【００２１】
また、本発明に係るペット用玩具では、前記ペット出入口のうちの少なくとも一つには、その周縁に口紐が設けられていることを特徴としてもよい。
【００２２】
この構成によれば、ペット出入口を複数設けた場合にペット出入口毎に大きさを自由に変えることができるので、ペットの好みやペットの行動に合わせてその大きさを変更することにより、ペットに好奇心を起こさせることができる。
【００２３】
また、本発明に係るペット用玩具では、前記口紐には、鈴が設けられていることを特徴としてもよい。
【００２４】
この構成によれば、鈴が設けられていることから、音発生部材とは異なる音を発生させることができ、更に、ペットに好奇心を起こさせることができる。
【発明の効果】
【００２５】
本発明に係るペット用玩具によれば、ペットが入ることができるペット出入口を備え、柔軟なシート状素材により遊戯空間が構成されたものであるので、ペット出入口から内部に入ったペットは柔軟なシート状素材に囲われた遊戯空間内で行動範囲の制限を受けることとなる。そして、遊戯空間内でペットが動き回ると、ペット用玩具それ自体がシート状素材より構成されていることから、ペット自身の動きに伴ってそのシート状素材の形状が変形するため、ペットはその形状の変化に興味を示してさらなる変化を追い求めることとなり、その結果、ペットに運動させることができる。
【００２６】
また、このペット用玩具は、外力を受けることにより音を発生する音発生部材が設けられたシート状素材により形成されていることから、ペット自身の動きによりシート状素材が変形する度にこの変形が外力となって音発生部材に作用し、音発生部材が音を発生する。そしてこの音によりペットを興奮させることができるため、シート状素材の変形に加えて更にペットの好奇心を増大させることができる。また、シート状素材は、シートという形態上、その一箇所で発生した変形が全体に波及し他の箇所をも変形させることになるので、ペットがシート状素材の一箇所に外力を加えた場合にペットが予想し得ない他の箇所からも音が発生することからペットを驚かせることができ、更にペットの好奇心を増大させることができる。
【００２７】
また、本発明に係るペット用玩具によれば、ペット出入口のうちの少なくとも一つは、その周縁にワイヤが挿通されていることから、ペット出入口を常に開いた状態とすることができ、ペットがペット用玩具の内部に出入りし易いものとすることができる。
【００２８】
また、本発明に係るペット用玩具によれば、シート状素材はその一部が透明部材により形成されていることから、飼い主は透明部材の部分からペットを観察することができ、飼い主とペットのコミュニケーションがとり易いものとすることができる。
【００２９】
また、本発明に係るペット用玩具によれば、シート状素材には、前記ペットの頭部又は足が挿通し得る１又は２以上の開口部が設けられていることから、ペット用玩具の内部に入ったペットに外部の光景に興味を持たせることができる。また、この開口部は、頭部や足を出し入れできる寸法とされていることから、ペットは開口部から頭部や足を出したり引っ込めたりすることができるので、これによっても、ペットを楽しませることができる。
【００３０】
また、本発明に係るペット用玩具によれば、ペット出入口のうちの少なくとも一つには、その周縁に口紐が設けられていることから、ペット出入口を複数設けた場合にペット出入口毎に大きさを自由に変えることができるので、ペットの好みやペットの行動に合わせてその大きさを変更することにより、ペットに好奇心を起こさせることができる。
【００３１】
また、本発明に係るペット用玩具によれば、口紐には鈴が設けられていることから、音発生部材とは異なる音を発生させることができ、更に、ペットに好奇心を起こさせることができる。
【発明を実施するための最良の形態】
【００３２】
以下、本発明の実施の形態を図面に基づいて説明する。
【００３３】
＜実施の形態１＞
本実施の形態では、屋内で飼育されている猫に適したペット用玩具について図１乃至図５に基づいて説明する。なお、本発明に係るペット用玩具は、猫用に限定されるものではなく、他の種類のペットにも適用しうるものである。
【００３４】
図１は、本発明の実施の形態１に係るペット用玩具の斜視図である。図２は、本発明の実施の形態１に係るペット用玩具を示し、図２（Ａ）は正面図であり、図２（Ｂ）は底面図である。図３は、猫がペット用玩具と戯れている状態を示した斜視図である。図４は、シート状素材の断面図である。図５は、図１に示すＡ部の拡大断面図である。
【００３５】
本実施の形態１に係るペット用玩具１は、柔軟なシート状素材３により、ペットが遊ぶことができる遊戯空間４が構成されたものであって、２つのペット出入口２を備えたものである。具体的には、シート状素材３により筒状に形成され、その内部に遊戯空間４が設けられたものである。
【００３６】
このペット用玩具１の大きさは、例えば、猫２０が遊戯空間４に入って体を移動させることが可能な大きさのものであって、且つ、遊戯空間４内で運動した場合には、肩などがシート状素材３に触れる程度のものとされている。具体的には、頭部の大きさが１０ｃｍ以下の猫２０に適したものとしては、例えば、ペット出入口２は、猫２０が出入りできる大きさ、つまり、直径にして２０〜３０ｃｍに形成され、遊戯空間４は、猫２０が十分運動できる空間、つまり、直径にして２０〜３０ｃｍとなるように形成されている。
【００３７】
シート状素材３には、その全域又は一部に、外力を受けることにより音を発生するシート状の音発生部材３２が設けられている。具体的には、シート状素材３は、音発生部材３２としての、例えばセロハンシートを２枚のポリエステルシート３１により挟んで形成され、３層構造とされる。なお、シート状素材３は、このような３層構造に限定されるものではなく、全域又は部分的に音発生部材３２が設けられた、柔軟性を有するシート状のものであればよい。
【００３８】
また、このような音発生部材３２には、外力により発生する音を調整するために、相当数の穴を設けてもよい。このような構成とすることにより、外力により発生する音を調整することができることから、猫２０を過渡に興奮させず、適度に好奇心を起こさせるような音量とすることができる。
【００３９】
なお、音発生部材３２は、セロハン以外のシートであってもよい。例えば、音発生部材３２として、ポリプロピレンにより形成されたシートを用いてもよい。また、音発生部材３２は、一般にいう布、紙、合成樹脂により形成されるシートに限定されるものではない。例えば、ビーズなどの玉を数珠つなぎにして（或いは編み目状につないで）形成し、柔軟に折曲げ可能な状態として、折曲げ時には、玉同士が衝突しあって音が発生するようなものを、音発生部材３２として用いてもよい。
【００４０】
上記構成のペット用玩具１によれば、次のような作用効果を奏する。
【００４１】
すなわち、ペット用玩具１は、猫２０が入ることができるペット出入口２を備え、柔軟なシート状素材３により遊戯空間４が構成されたものであるので、ペット出入口２から内部に入った猫２０は柔軟なシート状素材３に囲われた遊戯空間４内で行動範囲の制限を受けることとなる。そして、遊戯空間４内で猫２０が動き回ると、ペット用玩具１それ自体がシート状素材３より構成されていることから、猫自身の動きに伴ってそのシート状素材３の形状が変形するため、猫２０はその形状の変化に興味を示してさらなる変化を追い求めることとなり、その結果、猫２０に運動させることができる。
【００４２】
また、このペット用玩具１は、外力を受けることにより音を発生する音発生部材３２が設けられたシート状素材３により形成されていることから、猫自身の動きによりシート状素材３が変形する度にこの変形が外力となって音発生部材３２に作用し、音発生部材３２が音を発生する。そしてこの音により猫２０を興奮させることができるため、シート状素材３の変形に加えて更に猫２０の好奇心を増大させることができる。また、シート状素材３は、シートという形態上、その一箇所で発生した変形が全体に波及し他の箇所をも変形させることになるので、猫２０がシート状素材３の一箇所に外力を加えた場合に猫２０が予想し得ない他の箇所からも音が発生することから猫２０を驚かせることができ、更に猫２０の好奇心を増大させることができる。
【００４３】
また、ペット用玩具１は家屋の柱などに固定されるものではなく、猫２０の行動に応じて移動するものであることから、そのペット用玩具１と戯れる猫２０の行動範囲が制限されず、猫２０に自由に遊ばせることができるので、猫２０の好奇心を持続させることがでる。この結果、猫２０の運動量を増大させることができると共に、猫２０のストレスを効果的に解消させることができる。
【００４４】
加えて、ペット用玩具１は主にシート状素材３により構成されたものであるので、折畳みが可能であり、収容が簡単であるという利便性もある。
【００４５】
上記においては、本実施の形態１に係るペット用玩具１の基本構造を説明したが、次に、その細部について説明する。
【００４６】
シート状素材３には、貫通する開口部８を設けることが好ましい。開口部８の縁には、バイヤステープが縫着されている。開口部８の大きさは、例えば、猫２０の頭部が出し入れできる程度のもの（直径２０ｃｍ程度の穴）、猫２０の足が出し入れできる程度の穴（直径８ｃｍ程度）、或いは、外部からの光が漏れ入る程度の穴（直径２ｃｍ程度）とされる。
【００４７】
このような構成により、ペット用玩具１の内部に入った猫２０に、視野が狭められた状態で、開口部８から僅かに見える外部の光景に興味を持たせることができる。そして、猫２０が頭部や足を動かしてその開口部８から外部の光景を覗こうとすれば、シート状素材３が変形して覗きみようとした開口部８が移動するので、猫２０は開口部８の移動自体にも興味を示すこととなり、猫２０を飽きさせないという効果も奏する。また、この開口部８は、頭部や足を出し入れできる寸法とされていることから、猫２０は開口部８から頭部や足を出したり引っ込めたりすることができるので、これによっても、猫２０を楽しませることができる。つまり、この構成により、猫２０の好奇心を持続させることができ、長時間にわたって運動させることができる。
【００４８】
これに加えて、シート状素材３の外面は、猫２０を興奮させる色地に、目に刺激を与える模様の絵柄をプリントすることが好ましい。例えば、レモンイエローの色地に、直径が１〜５ｃｍ程度のオレンジ色の斑点模様を不規則に配置した奇抜な絵柄をシート状素材３に施して、ペット用玩具１を形成する。なお、このような斑点模様の絵柄は、美感を生じさせるように、小動物の足型を模したものとしてもよい。また、これに加えて、鼠の尻尾を模した絵柄を施してもよい。
【００４９】
このような構成により、ペット用玩具１は、家屋内にある他の物に比べて視覚的に目立たせて猫２０にその存在を気づかせることができ、その上、そのシート状素材３に施された絵柄により猫２０に興味を持たせることができるので、猫２０がペット用玩具１から離れた場所にいる場合であっても、このペット用玩具１により遊ばせる機会を増大させることができる。
【００５０】
また、上記のようなシート状素材３において、その一部を透明部材により構成し、遊戯空間４が外部から視認できるものとしてもよい。
【００５１】
このような構成により、飼い主は、外部からペット用玩具１に入り込んだ猫２０を観察することができる。また、シート状素材３の一部が透明部材とされていることから、外部から光を当てることにより猫２０に刺激を与えることもできる。つまり、この構成により、飼い主とのコミュニケーションがとり易いものとすることができる。
【００５２】
また、２つのペット出入口２のうち一方のペット出入口２の周縁２１をパイピング加工し、そのパイプ部７に、塑性を備えたワイヤ５を挿通し、これに加えて、他方のペット出入口２の周縁２１は、折返し縫製とすることが好ましい。
【００５３】
このような構成によれば、一方のペット出入口２の周縁２１には塑性を備えたワイヤ５が挿通されているので、一方のペット出入口２を常に開いた状態とすることができ、猫２０が出入りし易いものとすることができる。そして、他方のペット出入口２の周縁２１にはワイヤ５が挿通されないので、他方のペット出入口２を常に閉じた状態とすることができ、猫２０が出て行きにくいものとすることができる。
【００５４】
すなわち、一方のペット出入口２から猫２０自らが容易にペット用玩具１の内部に入ることができると共に他方から容易には出て行けない構造としていることから、猫２０は、一旦内部に入れば、遊戯空間４で自ら反転して出て行くか、或いは、入ってきたペット出入口２とは違う他方の閉じられたペット出入口２を自ら開いて外部に出て行くしかないので、窮屈な空間の中で自らの力で試行錯誤して出口を見つけなければ外部に脱出できないという状態に猫２０をおくことができる。つまり、猫２０を通常では発生しない事態に遭遇させることができる。この結果、猫２０を興奮させて運動させることができる。
【００５５】
また、２つのペット出入口２のうち、両方ともパイピング加工してワイヤ５を挿通して、ペット用玩具１を構成してもよい。この場合は、いずれのペット出入口２からも猫２０が出入りさせることができる。この場合は、猫２０の出入りが容易なものとなるので、過渡に興奮をさせることなく、猫２０の好奇心を適度に満足させることができる。
【００５６】
また、ペット出入口２のパイプ部７に挿通されるワイヤ５は、弾力性を有す樹脂（例えば、塩化ビニル樹脂）５１により芯ワイヤ（鉄製のワイヤ）５２を被覆して形成することが好ましい。このような構成により、ペット出入口２は、弾力性がある樹脂５１により覆われたワイヤ５により保持され、そのペット出入口２の周縁２１は柔らかい感触を与えるものとすることができる。この構成によれば、猫２０がペット用玩具１に出入りする場合において、ペット出入口２の周縁にペットの体が引っ掛かたとしても、ワイヤ５は柔らかい感触を与えるものであるので、体に傷がつくこともない。従って、ワイヤ５により怪我するおそれが殆どなくなる。
【００５７】
なお、本実施の形態１では、その形状を筒状体としたペット用玩具１について説明したが、本発明に係るペット用玩具１は、少なくとも１つのペット出入口２を有したものであればよく、筒状体に限定されるものではない。例えば、ペット用玩具１の形態としては、袋状のものであってもよいし、或いは、３つのペット出入口２を備えたズボン状のものとしてもよい。
【００５８】
＜実施の形態２＞
図６は、本発明の実施の形態２に係るペット用玩具の斜視図である。図７は、本発明の実施の形態２に係るペット用玩具を示し、図７（Ａ）は正面図であり、図７（Ｂ）は底面図である。
【００５９】
本実施の形態２に係るペット用玩具１は、柔軟なシート状素材３により、ペットが遊ぶことができる遊戯空間４が構成されたものであって、４つの口２２を備え、その内の少なくとも１つをペット出入口２としたものである。具体的には、シート状素材３によりＴシャツ状に形成され、その１つの口２２がペット出入口２とされ、そして、その内部に遊戯空間４が設けられたものである。主要な構成は、実施の形態１と同様であるからその説明は省略し、ここでは、実施の形態１と異なる点について説明する。
【００６０】
このペット用玩具１の大きさは、例えば、猫２０が遊戯空間４に入って体を移動させることが可能な大きさのものであって、且つ、遊戯空間４内で運動した場合には、肩などがシート状素材３に触れる程度のものとされている。
【００６１】
ペット出入口２は、猫２０が出入りできる大きさに形成されている。具体的には、頭部の大きさが１０ｃｍ以下の猫２０にあっては、ペット出入口２の大きさは、直径にして２０〜３０ｃｍ程度の大きさとされる。他の口２２は、猫２０が出入りできる十分な大きさとされたり、或いはそれとは逆に出入りできにくい又は出入りできない大きさとされる。
【００６２】
また、猫２０の出入りを可能としたペット出入口２の周縁２１は、パイピング加工され、塑性を備えたワイヤ５が挿通されている。これにより、ペット出入口２を常に開いた状態とすることができ、猫２０が出入りし易いものとすることができる。
【００６３】
このような構成のペット用玩具１によれば、３つ以上の口２２を備えていることから、ペット用玩具１の遊戯空間４に入った猫２０にペット出入口２を選択させたり、ペット用玩具１から出て行くには十分な大きさではないペット出入口２からの脱出を試させたりすることができるので、猫２０の好奇心を増大させることができる。この結果、猫２０の運動不足を解消させることができる。
【００６４】
＜実施の形態３＞
図８は、本発明の実施の形態３に係るペット用玩具の斜視図である。図９は、本発明の実施の形態３に係るペット用玩具を示し、図９（Ａ）は正面図であり、図９（Ｂ）は底面図である。
【００６５】
本実施の形態３に係るペット用玩具１は、柔軟なシート状素材３により、ペットが遊ぶことができる遊戯空間４が構成されたものであって、２つのペット出入口２を備えたものであり、一方のペット出入口２が口紐９により開閉自在にされたものである。主要な構成は、実施の形態１と同様であるからその説明は省略し、ここでは、実施の形態１と異なる点について説明する。
【００６６】
このペット用玩具１の大きさは、例えば、猫２０が遊戯空間４に入って体を移動させることが可能な大きさのものであって、且つ、遊戯空間４内で運動した場合には、肩などがシート状素材３に触れる程度のものとされている。
【００６７】
そして、一方のペット出入口２は、猫２０が出入りできる大きさに形成されている。具体的には、頭部の大きさが１０ｃｍ以下の猫２０にあっては、その筒状体のペット出入口２の大きさは、直径にして２０〜３０ｃｍ程度の大きさとされる。他方のペット出入口２は巾着状にして口紐９で開閉自在とされている。また、口紐９の両端には毛羽立った布で包まれた鈴１０が設けられている。
【００６８】
また、一方のペット出入口２の周縁２１は、パイピング加工され、塑性を備えたワイヤ５が挿通されている。これにより、ペット出入口２を常に開いた状態とすることができ、猫２０が出入りし易いものとすることができる。
【００６９】
また、シート状素材３には、開口部８が設けられている。更に、そのうちの１つの開口部８１は、その周縁に複数の布きれ８２がその先端が揺動するように設けられ、その布きれ８２により開口が閉じられた状態とされている。
【００７０】
このような構成のペット用玩具１によれば、ペット出入口２を複数設けた場合にペット出入口毎にその大きさを自由に変えることができるので、猫２０の好みや猫２０の行動に合わせてその大きさを変更することにより、猫２０に好奇心を起こさせることができる。また、口紐９の両端に鈴１０が設けられていることから、音発生部材３２とは異なる音を発生させることができ、これによっても、猫２０に好奇心を起こさせることができる。
【００７１】
また、シート状素材３には開口部８が設けられていることから、猫２０の好奇心を持続させることができ、長時間にわたって運動させることができる。
【００７２】
また、複数ある開口部８の１つ（開口部８１）は、先端が揺動するように設けられた布により塞がれた状態とされ、その布きれ８２の状態や布きれの動きによって、開口部８１の状態が開いたり閉じたりして変化するので、猫２０に興味を持たせることができ、これによって、更に、猫２０を楽しませることができる。
【図面の簡単な説明】
【００７３】
【図１】本発明の実施の形態１に係るペット用玩具の斜視図である。
【図２】本発明の実施の形態１に係るペット用玩具を示し、図２（Ａ）は正面図であり、図２（Ｂ）は底面図である。
【図３】猫がペット用玩具と戯れている状態を示した斜視図である。
【図４】シート状素材の断面図である。
【図５】図１に示すＡ部の拡大断面図である。
【図６】本発明の実施の形態２に係るペット用玩具の斜視図である。
【図７】本発明の実施の形態２に係るペット用玩具を示し、図７（Ａ）は正面図であり、図７（Ｂ）は底面図である。
【図８】本発明の実施の形態３に係るペット用玩具の斜視図である。
【図９】本発明の実施の形態３に係るペット用玩具を示し、図９（Ａ）は正面図であり、図９（Ｂ）は底面図である。
【符号の説明】
【００７４】
１            ペット用玩具
２            ペット出入口
３            シート状素材
４            遊戯空間
５            ワイヤ
７            パイプ部
８            開口部
９            口紐
１０          鈴
３１          ポリエステルシート
３２          音発生部材
【図１】
2008142010.tif 000003
【図２】
2008142010.tif 000004
【図３】
2008142010.tif 000005
【図４】
2008142010.tif 000006
【図５】
2008142010.tif 000007
【図６】
2008142010.tif 000008
【図７】
2008142010.tif 000009
【図８】
2008142010.tif 000010
【図９】
2008142010.tif 000011